(57)【要約】【課題】  この発明は、金属製ブラケットを用いても人への当接時に、より安全性を向上させた陳列棚用ブラケットの保護装置を提供することを目的とする。【解決手段】  この発明の陳列棚用ブラケットの保護装置は、サポート部材に上下多段に設けられたスリットに、後端部に設けられた係止フックが挿入され片持ち状に支持され、上部に棚板が載置される陳列棚用ブラケット１の保護装置３であって、保護装置３は、陳列棚用ブラケット１の先端部に装着される保護キャップ部分３１と、この保護キャップ部分３１からブラケット１の棚板載置面１ａまで連接して設けられた保持部３２と、を備え、保持部３２がガラス板１０４によりブラケット１側へ押し付けられる。【選択図】  図６
2008136744.tif 000002
【特許請求の範囲】
【請求項１】
サポート部材に上下多段に設けられたスリットに、後端部に設けられた係止フックが挿入され片持ち状に支持され、上部に棚板が載置される陳列棚用ブラケットの保護装置であって、前記保護装置は、前記陳列棚用ブラケットの先端部に装着される保護キャップ部分と、この保護キャップ部分からブラケットの棚板載置面まで連接して設けられた保持部と、を備え、前記保持部が棚板によりブラケット側へ押し付けられることを特徴とする陳列棚用ブラケットの保護装置。
【請求項２】
前記保持部は、ブラケット側に開口部が形成されていることを特徴とする請求項１に記載の陳列棚用ブラケットの保護装置。
【請求項３】
前記保護キャップ部分から連接して棚板の跳ね上がりを抑制する突出部が設けられていることを特徴とする請求項１又は２に記載の陳列棚用ブラケットの保護装置。
【発明の詳細な説明】
【技術分野】
【０００１】
この発明は、商品陳列棚の棚板を載置するブラケットの保護装置に関するものである。
【背景技術】
【０００２】
店舗などに陳列棚を設置する場合、例えば、図１９の従来の陳列棚の斜視図に示すように、適当な間隔を置いて設置された支柱１０１にそれぞれチャンネル鋼材などからなるサポート部材１０２をタップネジ（図示しない）を用いて固定し、このサポート部材１０２に板状のブラケット１を係止し、更にこのブラケット１の上に棚板１０４が載せられる。サポート部材１０２の間には必要に応じてバックボード１０５が設置される。
【０００３】
図２０の縦断側面図に示すように、前記ブラケット１の後端部には上下２段以上の倒L字形に垂れ下がる係止フック１０が形成され、又、サポート部材１０２はこれら係止フック１０が挿抜される上下多段のスリット１０７と、これらスリット１０７から内部に挿入された係止フック１０が上下に移動できる縦溝１０８とを備える。そして、前記ブラケット１は、サポート部材１０２の前面に形成されたスリット１０７から係止フック１０を挿入してブラケット１を下げるという手順でチャンネル型サポート１０２に係止される。
【０００４】
ところで、上記したブラケット１上に載置される棚板１０４として、ガラス板を用いる場合には、図２０に示すように、ガラス板へのクッション材と滑り止めとの機能を有する樹脂製滑り止め材１１０がブラケット１の棚板載置面上に嵌め込むものが知られている（例えば、非特許文献１参照）。上記樹脂製滑り止め材１１０により、ガラス板への衝撃を緩和することができる。
【０００５】
ところで、ガラス板を載置するブラケット１においては、上記のように、樹脂製滑り止め材１１０を設け、更に、ブラケット１の先端部を上方に立ち上げ、ガラス板の前方への脱落を防止したものがある（例えば、非特許文献１参照）。
【非特許文献１】株式会社ロイヤルの製品カタログ「ＳＴＯＲＥ  ＦＩＸＴＵＲＥＳ  ＭＡＩＮ  ＣＡＴＡＬＯＧＵＥ  ２００６−８」の７９頁ないし８０頁
【発明の開示】
【発明が解決しようとする課題】
【０００６】
上記した先端部を上方に立ち上げたブラケットにおいては、ガラス板より前方にブラケットの立ち上げ部が位置することになる。このため、人に直接金属製のブラケットが当接することがある。
【０００７】
上記ブラケットは、金属板を打ち抜き加工により形成されている。そして、先端部は、人に当接しても怪我などしないように、丸みを付けて安全性を確保している。しかしながら、やはり金属製であるので、より安全性を向上させるためには、人に対して柔らかく当接する方が好ましい。
【０００８】
そこで、この発明は、金属製ブラケットを用いても人への当接時に、より安全性を向上させた陳列棚用ブラケットの保護装置を提供することを目的とする。
【課題を解決するための手段】
【０００９】
この発明の陳列棚用ブラケットの保護装置は、サポート部材に上下多段に設けられたスリットに、後端部に設けられた係止フックが挿入され片持ち状に支持され、上部に棚板が載置される陳列棚用ブラケットの保護装置であって、前記保護装置は、前記陳列棚用ブラケットの先端部に装着される保護キャップ部分と、この保護キャップ部分からブラケットの棚板載置面まで連接して設けられた保持部と、を備え、前記保持部が棚板によりブラケット側へ押し付けられることを特徴とする。
【００１０】
前記保持部は、ブラケット側に開口部を形成すればよい。
【００１１】
更に、前記保護キャップ部分から連接して棚板の跳ね上がりを抑制する突出部を設けるとよい。
【発明の効果】
【００１２】
この発明は、ブラケット先端の金属部分に保護装置を装着することで、ブラケット先端の金属部から人を保護することができ、安全性を向上させることができる。更に、保護装置の保持部上に棚板が載置されるので、棚板の重みで、保持部がブラケット側へ押し付けられ、保護装置のブラケットからの脱落が防止される。
【発明を実施するための最良の形態】
【００１３】
この発明の実施の形態について図面を参照しながら詳細に説明する。なお、図中同一または相当部分には同一符号を付し、説明の重複を避けるためにその説明は繰返さない。
【００１４】
図１は、この発明の実施形態に用いられる陳列棚用ブラケットを示す斜視図、図２は、この発明の実施形態に用いられる陳列棚用ブラケットの先端部分を拡大した側面図である。
【００１５】
図３は、この発明の実施形態を用いた陳列棚を示す分解斜視図である。
【００１６】
図４は、この発明の第１の実施形態にかかる保護装置を示し、（ａ）は上面図、（ｂ）は断面図、（ｃ）は正面図である。
【００１７】
この発明の実施形態に用いられる陳列棚用ブラケット１は、図１及び図２に示すように、ブラケット１の後端部には上下２段以上、この実施形態では２段の倒L字形に垂れ下がる係止フック１０が形成されている。この係止フック１０にはサポート１０２のスリット１０７に嵌め込むための矩形状の切り込み１１が設けられている。
【００１８】
また、ブラケット１の先端部は、載置されるガラス板１０４の脱落等を防止するために載置面から上方に立ち上がる立ち上がり部１２が設けられている。ブラケット１は、棚板載置面１ａにはガラス板１０４へのクッション材と滑り止めとの機能を有する樹脂製滑り止め材１１０が嵌め込まれている。このブラケット１は、例えば２．６ｍｍ〜３．２ｍｍの板厚の鋼材を打ち抜き加工により形成される。尚、ブラケット１は、この板厚のものに限らず、用途により、いろいろな厚みの鋼材が用いられる。
【００１９】
従来例で説明した通り、ブラケット１の係止フック１０をサポート部材１０２のスリット１０７に挿入してブラケット１を下げるという手順でサポート部材１０２に係止することで、サポート部材１０２にブラケット１が片持ち状に支持される。
【００２０】
図３に示すように、サポート部材１０２に、ブラケット１が片持ち状に支持させる。尚、図３においては、便宜上、サポート部材１０２のスリット、ブラケット１の係止部は図示を略している。サポート部材１０２に片持ち状に係止されたブラケット１、１にそれぞれ樹脂製滑り止め材１１０を嵌め込ませる。そして、樹脂製滑り止め材１１０の上にガラス板１０４を載置させる。上述したように、ブラケット１の先端部は、載置されるガラス板１０４の脱落等を防止するために載置面１ａから上方に立ち上がる立ち上がり部１２が設けられているので、ガラス板１０４の前方に立ち上がり部１２が位置する。
【００２１】
この発明は、立ち上がり部１２を含め、ブラケット１の先端部に樹脂製の保護装置３を装着し、ブラケット１先端の金属部から人を保護するものである。更に、保護装置３により、ガラス板１０４のコバ面の破損を抑制することもできる。
【００２２】
図４に示すように、保護装置３は、ブラケット１の先端の立ち上がり部１２に装着される保護キャップ部分３１と、この保護キャップ部分３１からブラケット１の棚板載置面１ａまで連接して設けられた保持部３２と、を備える。保持部３２には、ブラケット１側に開口部３３が形成され、この開口部３３からブラケット１の立ち上がり部１２を含めブラケット１の棚板載置面１ａに嵌め込む。そして、この保持部３２の上にガラス板１０４が載置される。ガラス板１０４の重みで、保持部３２がブラケット１側へ押し付けられ、保護装置３がブラケット１から脱落することを防止している。保護装置３は、ＥＶＡ樹脂（エチレン−酢酸ビニル共重合樹脂）により形成されている。また、樹脂製滑り止め材１１０もＥＶＡ樹脂で形成されている。
【００２３】
次に、この発明の保護装置３をブラケット１に取り付ける方法を図５に従い説明する。      
【００２４】
図５（ａ）に示すように、樹脂製滑り止め材１１０を必要に応じて鋏１２０等により切断して長さを調整し、樹脂製滑り止め材１１０と保護装置３の保持部３２が重ならないようにする。そして、図５（ｂ）に示すように、開口部３３からブラケット１の立ち上がり部１２を含めブラケット１の棚板載置面１ａに嵌め込む。
【００２５】
その後、図５（ｃ）に示すように、ガラス板１をブラケット１の載置面１ａに載せる。
【００２６】
図６は、この発明の第１の実施形態にかかる保護装置３をブラケット１に取り付け、ガラス板１０４を際した状態を示す側面図である。図６に示すように、ブラケット１に嵌め込まれた樹脂製滑り止め材１１０から保持部３２上にかけてガラス板１０４が載置される。そして、ガラス板１０４の重みで、保持部３２がブラケット１側へ押し付けられ、保護装置３のブラケット１からの脱落が防止される。
【００２７】
図７及び図８は保護装置３を取り付けることにより、保護される領域を示し、図７は、この発明の保護装置をブラケットに取り付けたときの側面側から見た保護領域を示す図、図８は上面から見た保護領域を示す。
【００２８】
図７及び図８に示すように、前方、上下、左右と、図中矢印で示す方向が、樹脂製の保護装置３により保護され、より安全性が向上する。
【００２９】
図９は、この発明の第２の実施形態を示す断面図であり、第１の実施形態に比べると保持部３２の長さを短くしている。他の構成は第１の実施形態と同様であるので、同じ部分には同じ符号を付し、説明の重複を避けるために、ここでは、その説明を割愛する。
保持部３２の長さを短くすることで、ブラケット１への取り付けは容易になる。但し、ガラス板１０４で押される領域が第１の実施形態より小さくなるので、その分ガラス値ａ１０４の重みによる押圧力は小さくなる。
【００３０】
図１０は、この発明の第３の実施形態を示す側面図である。この第３の実施形態は、ブラケット１の先端部に孔１３が設けられているものに用いて、好適な保護装置３である。図１０に示すように、保護装置３には、孔１３に対応する孔３４を設けている。それ以外の構成は第１の実施形態と同様であるので、同じ部分には同じ符号を付し、説明の重複を避けるために、ここでは、その説明を割愛する。
【００３１】
図１１は、この発明の第４の実施形態を示す側面図である。この第４の実施形態は、靴下状に保護装置３を形成したものである。即ち、開口部を設けていない。それ以外の構成は第１の実施形態と同様であるので、同じ部分には同じ符号を付し、説明の重複を避けるために、ここでは、その説明を割愛する。
【００３２】
この第４の実施形態においては、立ち上がり部１２への取り付けに際して、少し力を入れて行う必要があるが、装着された後は、脱落の虞はほとんど無い。
【００３３】
次に、この発明の第５の実施形態を図１２ないし図１５に従い説明する。
【００３４】
図１２は、この発明の第５の実施形態にかかる保護装置をブラケットの装着する前の状態を示す斜視図、図１３は、この発明の第５の実施形態にかかる保護装置をブラケットの装着する状態を示す斜視図、図１４は、この発明の第５の実施形態にかかる保護装置をブラケットの装着した状態を示す斜視図、図１５は、この発明の第５の実施形態にかかる保護装置をブラケットに装着し、この上にガラス板を載置した状態を示す側面図である。
【００３５】
図１２に示すように、この第５の実施形態にかかる保護装置３ｂは、保持部３２から保護キャップの先端部分３１ａまでがブラケット１の厚みに対応した断面コ字状の連結部３４で連結されている。保持部３２、先端部分３１ａは４角枠体状に形成されている。
【００３６】
図１３に示すように、保持部３２をブラケット１の先端立ち上がり部１２から差し込み、立ち上がり部１２に沿って連結部３４を曲げて行く。そして、図１４に示すように、先端部分３１ａを立ち上がり部１２にかぶせることで、この第５の実施形態にかかる保護装置３ｂが立ち上がり部１２を含めて、ブラケット１の先端部に取り付けられる。
【００３７】
図１５に示すように、保持部３２上を含め、樹脂製滑り止め材１１０上にガラス板１０４が載置される。
【００３８】
図１６は、ガラス板１０４の側面を保護する例を示す斜視図である。図１６に示すように、ガラス板１０４の前面、及び両側面にＥＶＡ樹脂で形成された断面コ字状のカバー１３０を取り付けることで、ガラス板１０４の端面を保護することができる。カバー１３０，１３０間はコーナー部材１３１で連結すればよい。
【００３９】
図１７は、この発明の第６の実施形態を示す側面図である。この第６の実施形態は、保護装置３ｃの保護キャップ部材３１に連接して、ガラス板１０４の跳ね上がりを抑制する突出部３５を設けている。それ以外の構成は第１の実施形態と同様であるので、同じ部分には同じ符号を付し、説明の重複を避けるために、ここでは、その説明を割愛する。
【００４０】
図１７に示すように、突出部３５でガラス板１０４がブラケット１から跳ね上がるのを防止できる。跳ね上がり防止を重要視する場合には、保護装置３ｃの材料を樹脂でもある程度堅さを有する方が好ましい。但し、堅さを硬くすると、人に対する柔軟性は劣ることになる。そこで、図１８に示すように、柔らかい樹脂製キャップ４を保護装置３ｃの先端部に装着するように構成すれば、人に対する安全性と跳ね上がり防止の効果を得ることができる。
【００４１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００４２】
この発明は店舗用の陳列棚などに用いられる。
【図面の簡単な説明】
【００４３】
【図１】この発明の実施形態に用いられる陳列棚用ブラケットを示す斜視図である。
【図２】この発明の実施形態に用いられる陳列棚用ブラケットの先端部分を拡大した側面図である。
【図３】この発明の実施形態を用いた陳列棚を示す分解斜視図である。
【図４】この発明の第１の実施形態にかかる保護装置を示し、（ａ）は上面図、（ｂ）は断面図、（ｃ）は正面図である。
【図５】この発明の保護装置３をブラケット１に取り付ける方法を示す模式図である。
【図６】この発明の第１の実施形態にかかる保護装置３をブラケット１に取り付け、ガラス板１０４を際した状態を示す側面図である。
【図７】この発明の保護装置をブラケットに取り付けたときの側面側から見た保護領域を示す図である。
【図８】この発明の保護装置をブラケットに取り付けたときの上面側から見た保護領域を示す図である。
【図９】この発明の第２の実施形態にかかる保護装置を示す断面図である。
【図１０】この発明の第３の実施形態にかかる保護装置を示す側面図である。
【図１１】この発明の第４の実施形態にかかる保護装置を示す側面図である。
【図１２】この発明の第５の実施形態にかかる保護装置をブラケットの装着する前の状態を示す斜視図である。
【図１３】この発明の第５の実施形態にかかる保護装置をブラケットの装着する状態を示す斜視図である。
【図１４】この発明の第５の実施形態にかかる保護装置をブラケットの装着した状態を示す斜視図である。
【図１５】この発明の第５の実施形態にかかる保護装置をブラケットに装着し、この上にガラス板を載置した状態を示す側面図である。
【図１６】ガラス板の側面を保護する例を示す斜視図である。
【図１７】この発明の第６の実施形態にかかる保護装置を示す側面図である。
【図１８】この発明の第６の実施形態にかかる保護装置を示す側面図である。
【図１９】従来の陳列棚の斜視図である。
【図２０】従来例の縦断側面図である。
【符号の説明】
【００４４】
１  ブラケット、１ａ  棚板載置面、１０  係止フック、１２  立ち上がり部、３  保護装置、３１  保護キャップ部分、３２  保持部。
【図１】
2008136744.tif 000003
【図２】
2008136744.tif 000004
【図３】
2008136744.tif 000005
【図４】
2008136744.tif 000006
【図５】
2008136744.tif 000007
【図６】
2008136744.tif 000008
【図７】
2008136744.tif 000009
【図８】
2008136744.tif 000010
【図９】
2008136744.tif 000011
【図１０】
2008136744.tif 000012
【図１１】
2008136744.tif 000013
【図１２】
2008136744.tif 000014
【図１３】
2008136744.tif 000015
【図１４】
2008136744.tif 000016
【図１５】
2008136744.tif 000017
【図１６】
2008136744.tif 000018
【図１７】
2008136744.tif 000019
【図１８】
2008136744.tif 000020
【図１９】
2008136744.tif 000021
【図２０】
2008136744.tif 000022